(57)【特許請求の範囲】
【請求項１】
基礎と、
前記基礎上に設けられる土台パッキンと、
前記土台パッキン上に設けられる土台と、
前記基礎と前記土台とを互いに固定する複数のアンカーボルトと、
前記アンカーボルトを挿通させて当該アンカーボルトの前記基礎と前記土台との間の部分を覆うアンカーボルトカバーと、
を備える建物であって、
前記アンカーボルトカバーは、
前記基礎に当接する第一の端部と、
前記土台に当接する第二の端部と、
前記第一の端部と前記第二の端部との間に設けられた可撓部と、
を備え、
前記可撓部は、弾性変形可能な蛇腹構造を有し、
前記アンカーボルトカバーの高さは、前記土台パッキンの高さよりも大きく、
前記可撓部は、前記土台の設置によって、高さ方向に収縮しており、前記第一の端部は、前記可撓部の復元作用によって前記基礎に押し付けられており、前記第二の端部は、前記可撓部の復元作用によって前記土台に押し付けられている
ことを特徴とする建物。
【請求項２】
前記土台パッキンは、
前記アンカーボルトを挿通させる挿通部と、
前記挿通部と前記土台パッキンに囲まれた内側空間とを連通させる第一の通気部と、
前記挿通部と前記土台パッキンの外側空間とを連通させる第二の通気部と、
を備えることを特徴とする請求項１に記載の建物。
【請求項３】
前記土台パッキンは、前記複数のアンカーボルト間に設けられた複数のブロック状パッキンであり、
前記複数のブロック状パッキン間には、前記複数のブロック状パッキンに囲まれた内側空間と前記複数のブロック状パッキンの外側空間とを連通させる通気孔が構成されている
ことを特徴とする請求項１に記載の建物。
【請求項４】
アンカーボルトが設けられた基礎を構築するステップと、
構築された前記基礎上に、土台パッキンと、前記アンカーボルトを挿通させて当該アンカーボルトにおける前記土台パッキンの高さ部分を覆うアンカーボルトカバーと、を設置するステップと、
前記アンカーボルトカバー及び前記土台パッキン上に土台を設置するステップと、
を含み、
前記アンカーボルトカバーは、
前記基礎に当接する第一の端部と、
前記土台に当接する第二の端部と、
前記第一の端部と前記第二の端部との間に設けられた可撓部と、
を備え、
前記可撓部は、弾性変形可能な蛇腹構造を有し、
前記アンカーボルトカバーの高さは、前記土台パッキンの高さよりも大きく、
前記土台を設置するステップによって、前記可撓部は、高さ方向に収縮し、前記第一の端部は、前記可撓部の復元作用によって前記基礎に押し付けられ、前記第二の端部は、前記可撓部の復元作用によって前記土台に押し付けられる
ことを特徴とする建物の施工方法。
【発明の詳細な説明】
【技術分野】
【０００１】
本発明は、基礎と土台との間に土台パッキンが設置されるとともにアンカーボルトカバーを備える建物、及び、アンカーボルトカバーを備える建物の施工方法に関する。
【背景技術】
【０００２】
木造住宅等の建物では、一階床下の通気性を確保するために、土台パッキン工法（基礎パッキン工法ともいう）が採用される場合がある（特許文献１参照）。土台パッキン工法は、基礎と土台との間に、土台パッキン（基礎パッキンともいう）と呼ばれるブロック状の部材を所定の間隔で複数設置し、隣接する土台パッキン間に通気孔を構成することによって床下空間の通気性を確保する工法である。土台パッキン工法が採用された建物は、基礎に通気孔を形成しなくてよいので基礎立ち上がり部の断面欠損を無くすことができる、土台と基礎との接触が無くなるので防湿シートを不要とすることができる、隅角部等の従来通気性が悪かった部分の通気性を確保することができる、玄関、テラス等の従来通気孔を形成することができなかった部位の通気性を確保することができる、といった多くの利点を有する。
【特許文献１】特開２００４−２２５４６１号公報
【発明の開示】
【発明が解決しようとする課題】
【０００３】
従来の土台パッキン工法が採用された建物では、通気孔を有する長尺型の土台パッキンを採用した場合等には、基礎と土台とを互いに固定するアンカーボルトが、土台パッキンの高さ分だけ露出するので、アンカーボルトの露出部分が外気の影響等を受けることがある。例えば、かかる建物を海辺の塩害地に建築した場合には、アンカーボルトの露出部分が塩害によって錆びてしまうおそれがある。
【０００４】
そこで、本発明は、アンカーボルトを外気の影響等から保護することが可能なアンカーボルトカバーを備える建物及びアンカーボルトカバーを備える建物の施工方法を提供することを課題とする。
【課題を解決するための手段】
【０００５】
前記課題を解決するための請求項１に係る発明は、基礎と、前記基礎上に設けられる土台パッキンと、前記土台パッキン上に設けられる土台と、前記基礎と前記土台とを互いに固定する複数のアンカーボルトと、前記アンカーボルトを挿通させて当該アンカーボルトの前記基礎と前記土台との間の部分を覆うアンカーボルトカバーと、を備える建物であって、前記アンカーボルトカバーは、前記基礎に当接する第一の端部と、前記土台に当接する第二の端部と、前記第一の端部と前記第二の端部との間に設けられた可撓部と、を備え、前記可撓部は、弾性変形可能な蛇腹構造を有し、前記アンカーボルトカバーの高さは、前記土台パッキンの高さよりも大きく、前記可撓部は、前記土台の設置によって、高さ方向に収縮しており、前記第一の端部は、前記可撓部の復元作用によって前記基礎に押し付けられており、前記第二の端部は、前記可撓部の復元作用によって前記土台に押し付けられていることを特徴とする。
【０００６】
土台パッキンは、基礎と土台との間に通気孔を構成する部材である。なお、本発明において、土台は、土台パッキン上に設けられる上部構造物全般を指す。アンカーボルトカバーはアンカーボルトを挿通可能な筒状部材であればよく、例えば、円筒状部材とすることができる。
【０００７】
かかる構成によると、アンカーボルトの基礎と土台との間の部分がアンカーボルトカバーによって覆われるので、当該部分を外気の影響等から保護することができる。
【０００９】
ここで、アンカーボルトの高さ及び土台パッキンの高さとは、土台設置前の高さ、すなわち、重力以外の外力が作用していない状態での高さのことである。かかる構成によると、土台の設置によって、アンカーボルトカバーの可撓部が収縮し、アンカーボルトカバーの第一の端部及び第二の端部が基礎及び土台に確実に当接するので、アンカーボルトカバーによる気密性を確実に確保することができる。
【００１３】
かかる構成によると、土台の設置によって、アンカーボルトカバーの可撓部が収縮し、アンカーボルトカバーの第一の端部及び第二の端部が基礎及び土台に確実に当接するので、アンカーボルトカバーによる気密性を確実に確保することができる。
【００１４】
また、請求項２に係る発明は、請求項１に記載の建物であって、前記土台パッキンは、前記アンカーボルトを挿通させる挿通部と、前記挿通部と前記土台パッキンに囲まれた内側空間とを連通させる第一の通気部と、前記挿通部と前記土台パッキンの外側空間とを連通させる第二の通気部と、を備えることを特徴とする。
【００１５】
かかる構成によると、通気孔が形成された土台パッキンの通気孔にアンカーボルトが設置された場合であっても、アンカーボルトの基礎と土台との間の部分がアンカーボルトカバーによって覆われるので、当該部分を外気の影響等から保護することができる。
【００１６】
また、請求項３に係る発明は、請求項１に記載の建物であって、前記土台パッキンは、前記複数のアンカーボルト間に設けられた複数のブロック状パッキンであり、前記複数のブロック状パッキン間には、前記複数のブロック状パッキンに囲まれた内側空間と前記複数のブロック状パッキンの外側空間とを連通させる通気孔が構成されていることを特徴とする。
【００１７】
かかる構成によると、複数のプロック状パッキン間の通気孔にアンカーボルトが設置された場合であっても、アンカーボルトの基礎と土台との間の部分がアンカーボルトカバーによって覆われるので、当該部分を外気の影響等から保護することができる。
【００１８】
前記課題を解決するための請求項４に係る発明である建物の施工方法は、アンカーボルトが設けられた基礎を構築するステップと、構築された前記基礎上に、土台パッキンと、前記アンカーボルトを挿通させて当該アンカーボルトにおける前記土台パッキンの高さ部分を覆うアンカーボルトカバーと、を設置するステップと、前記アンカーボルトカバー及び前記土台パッキン上に土台を設置するステップと、を含み、前記アンカーボルトカバーは、前記基礎に当接する第一の端部と、前記土台に当接する第二の端部と、前記第一の端部と前記第二の端部との間に設けられた可撓部と、を備え、前記可撓部は、弾性変形可能な蛇腹構造を有し、前記アンカーボルトカバーの高さは、前記土台パッキンの高さよりも大きく、前記土台を設置するステップによって、前記可撓部は、高さ方向に収縮し、前記第一の端部は、前記可撓部の復元作用によって前記基礎に押し付けられ、前記第二の端部は、前記可撓部の復元作用によって前記土台に押し付けられることを特徴とする。
【００１９】
基礎を構築するステップにおいて、アンカーボルトの設置とコンクリートの打設との順序は適宜変更可能であり、アンカーボルトを設置した状態でコンクリートを打設してもよく、コンクリートを打設して硬化させた後にアンカーボルトを設置してもよい。
【００２０】
土台パッキン及びアンカーボルトカバーを設置するステップにおいて、これらの設置順序は適宜変更可能であり、土台パッキンを設置した後にアンカーボルトカバーを設置してもよく、アンカーボルトカバーを設置した後に土台パッキンを設置してもよく、土台パッキン及びアンカーボルトカバーを同時に設置してもよい。
【００２１】
かかる構成によると、アンカーボルトの基礎と土台との間の部分がアンカーボルトカバーによって覆われるので、当該部分を外気の影響等から保護することができる。
また、かかる構成によると、土台の設置によって、アンカーボルトカバーの可撓部が収縮し、アンカーボルトカバーの第一の端部及び第二の端部が基礎及び土台に確実に当接するので、アンカーボルトカバーによる気密性を確実に確保することができる。
【発明の効果】
【００２２】
本発明によれば、土台パッキン工法が採用された建物において、アンカーボルトを外気の影響等から保護することができる。
【発明を実施するための最良の形態】
【００２３】
以下、本発明を実施するための最良の形態について図面を参照しながら詳細に説明する。説明において、同一の要素には同一の番号を付し、重複する説明を省略する。以下の説明において、『内側』及び『外側』は、それぞれ建物の内側及び外側を指す。
【００２４】
＜第一の実施形態＞
図１は、本発明の第一の実施形態に係る建物の基礎周辺部分を模式的に示す斜視図である。図１の建物の基礎周辺部分は、内部構造を説明するために適宜破断して示されている。図２は、本発明の第一の実施形態に係る建物の基礎周辺部分を模式的に示す断面図である。図３は、本発明の第一の実施形態に係る土台パッキンを示す図であり、（ａ）は斜視図、（ｂ）は伏図、（ｃ）は正面図である。図３の土台パッキンは、説明に必要な１ブロック分のみ示されている。図４は、本発明の第一の実施形態に係るアンカーボルトカバーを示す図であり、（ａ）は斜視図、（ｂ）は断面図である。図５は、本発明の第一の実施形態に係る建物の施工方法を説明するための図であり、（ａ）は基礎構築工程を説明するための模式断面図、（ｂ）アンカーボルトカバー設置工程を説明するための模式断面図、（ｃ）は土台パッキン設置工程を説明するための模式断面図、（ｄ）は土台設置工程を説明するための模式断面図である。
【００２５】
図１及び図２に示すように、本発明の第一の実施形態に係る建物は、土台パッキン工法（基礎パッキン工法ともいう）及びツーバイフォー工法が採用された住宅であり、基礎１０と、複数の土台パッキン２０，２０，・・・と、土台３０と、複数のアンカーボルト４０，４０，・・・と、床面材５０と、壁面材６０と、外壁下地材７０と、外壁外装材８０と、水切り板９０と、複数のアンカーボルトカバー１００，１００，・・・と、を備えている。図１及び図２において、土台パッキン２０、アンカーボルト４０及びアンカーボルトカバー１００は、それぞれ一つのみ示されている。
【００２６】
図１及び図２に示すように、基礎１０は、布基礎であり、地面上に設置されて建物の上部荷重を支持する。基礎１０の立ち上がり部の外側面には、モルタル等からなる仕上げ１１が施されている。
【００２７】
図１及び図２に示すように、土台パッキン（基礎パッキンともいう）２０は、基礎１０と土台３０との間に設置され、上部構造物の荷重を支持し、基礎１０と土台３０との間に、床下空間ＵＦＳと外部空間ＯＳとを連通させて床下空間ＵＦＳの通気性を確保する通気孔を構成する部材である。この土台パッキン２０は、基礎１０上の全周に設置された樹脂製部材であり、矩形枠が連続した形状を呈する、いわゆる長尺タイプのパッキンである。土台パッキン２０は、長尺タイプであるので、設置個数を減らすことができ、設置に要する手間及び時間を減らすことができる。また、後記するように、土台パッキン２０に通気孔が形成されているので、複数の土台パッキン２０，２０，・・・を互いに当接させて設置しても床下空間ＵＦＳの通気性を確保することができる。なお、床下空間ＵＦＳが、特許請求の範囲における「土台パッキンに囲まれた内側空間」に相当し、外部空間ＯＳが、特許請求の範囲における「土台パッキンの外側空間」に相当する。
【００２８】
土台パッキン２０は、例えば、特開平９−１７０２３７号公報に開示されているポリオフィレン系の混合材料から形成可能である。なお、土台パッキン２０の材料は前記材料に限定されず、構造的強度を発生することができる材料であればよい。また、土台パッキン２０の高さは、後記する通気部２１ａ及び挿通部２０ａによる通気性を確保することが可能な高さであればよく、例えば、２０ｍｍとすることができる。
【００２９】
図３に示すように、土台パッキン２０は、一対の長辺部２１，２１と、長辺部２１，２１を互いに連結する複数の短辺部２２，２２，・・・と、を備えている。
【００３０】
図３に示すように、長辺部２１は、基礎１０の長辺方向に沿うように設置される部分であり、複数の通気部２１ａ，２１ａ，・・・を備えている。
【００３１】
通気部２１ａは、長辺部２１の外側空間と内側空間とを連通させる孔である。通気部２１ａの一方の開口は、長辺部２１の一側面に形成されており、通気部２１ａの他方の開口は、長辺部２１の一側面と対向する他側面に形成されている。
【００３２】
短辺部２２は、基礎１０の短辺方向に沿うように設置される部分である。
【００３３】
また、土台パッキン２０は、アンカーボルト４０を挿通させる複数の挿通部２０ａを備えている。挿通部２０ａは、上下に貫通した矩形の孔であり、一対の長辺部２１，２１及び隣接する短辺部２２，２２から構成されている。
【００３４】
ここで、内側の長辺部２１の通気部２１ａが、特許請求の範囲における『第一の通気部』に相当し、土台パッキン２０に囲まれた内側空間（すなわち、床下空間ＵＦＳ）と挿通部２０ａとを連通させる。また、外側の長辺部２１の通気部２１ａが、特許請求の範囲における『第二の通気部』に相当し、土台パッキン２０の外側空間（すなわち、外部空間ＯＳ）と挿通部２０ａとを連通させる。これら通気部２１ａ、挿通部２０ａ及び通気部２１ａが連通して通気孔を構成するので、建物の土台パッキン２０に囲まれた空間、すなわち床下空間ＵＦＳの通気性が確保される。
【００３５】
図１及び図２に示すように、土台３０は、土台パッキン２０上に設置された木材である。土台３０は、アンカーボルト４０を挿通させるアンカーボルト挿通部３１を備えている。アンカーボルト挿通部３１は、上下に貫通した孔であり、アンカーボルト４０の頭部と、後記するワッシャＷ及びボルトＢを収容可能な形状を呈している。
【００３６】
図１及び図２に示すように、アンカーボルト４０は、ステンレス製の棒状部材であり、基礎１０と土台３０とを互いに固定する。アンカーボルト４０の外周面には、雄ネジが形成されており、アンカーボルト４０は、ワッシャＷを挿通させた状態でボルトＢを雄ネジに螺合させることによって、基礎１０と土台３０とを互いに固定する。このアンカーボルト４０は、基礎１０のコンクリートを打設する前に所定位置に設置し、コンクリートを打設して硬化させることによって、基礎１０に固定されている。アンカーボルト４０の下端部（図示せず）は、屈曲形状を呈しており、引き抜き強度が高められている。
【００３７】
図１及び図２に示すように、床面材５０は、水平方向に延びる平板状部材であり、土台４０上に設置される。この床面材５０の下側に床下空間ＵＦＳが構成される。壁面材６０は、鉛直方向に延びる部材であり、床面材５０上に設置される。外壁下地材７０は、土台３０、床面材５０及び壁面材６０の外側面に取り付けられた平板状部材である。外壁外装材８０は、後記する水切り板９０と所定距離だけ離隔して外側に設置された平板状部材である。
【００３８】
図１及び図２に示すように、水切り板９０は、床下空間ＵＦＳへの雨の吹き込みを防止するための部材であり、金属製の平板を折り曲げ加工することによって形成されている。この水切り板９０は、外壁下地材７０の外側面下端部に取り付けられており、土台パッキン２０を外側方から覆っている。
【００３９】
図１及び図２に示すように、アンカーボルトカバー１００は、アンカーボルト４０を挿通させてアンカーボルト４０の基礎１０と土台３０との間の部分（すなわち、土台パッキン２０の高さ部分）を覆う、ポリエチレン等からなる樹脂製部材である。図４に示すように、アンカーボルトカバー１００は、挿通孔１００ａを有する円筒形状を呈し、基礎１０と当接する下端部（第一の端部）１０１と、土台３０と当接する上端部１０２と、下端部１０１と上端部１０２との間に設けられた可撓部１０３と、を備える。可撓部１０３は、弾性変形可能な蛇腹構造を有している。
【００４０】
続いて、図５を参照して、本発明の第一の実施形態に係る建物の施工方法について説明する。まず、図５（ａ）に示すように、作業者は、アンカーボルト４０が設けられた基礎１０を構築する（基礎構築工程）。続いて、図５（ｂ）に示すように、作業者は、アンカーボルトカバー１００をアンカーボルト４０に外装して基礎１０上に設置する（アンカーボルトカバー設置工程）。続いて、図５（ｃ）に示すように、作業者は、土台パッキン２０を基礎１０上に設置する（土台パッキン設置工程）。これらアンカーボルトカバー設置工程及び土台パッキン設置工程は、逆順であってもよく、同時であってもよい。続いて、図５（ｄ）に示すように、作業者は、土台３０を土台パッキン２０及びアンカーボルトカバー１００上に設置する（土台設置工程）。その後、アンカーボルト４０にボルトＢを螺合させることによって基礎１０及び土台３０が互いに固定され、続いて床面材５０等が設置されて建物が完成する。
【００４１】
なお、図５（ｃ）に示すように、土台３０の設置前、すなわち、重力以外の外力が働いていない状態において、アンカーボルトカバー１００の高さｈ１００は、土台パッキン２０の高さｈ２０よりも大きい。そして、図５（ｄ）に示すように、アンカーボルトカバー１００の可撓部１０３が、土台３０の設置によって弾性変形の範囲内で上下方向に収縮する。そして、弾性変形した可撓部１０３の復元作用によって、アンカーボルトカバー１００の下端部１０１及び上端部１０２がそれぞれ基礎１０及び土台３０に押し付けられて当接し、アンカーボルトカバー１００が、アンカーボルト４０を気密に覆うことができる。したがって、本発明の第一の実施形態に係る建物は、アンカーボルト４０を外気の影響等（例えば、塩害）から保護することができる。
【００４２】
＜第二の実施形態＞
続いて、本発明の第二の実施形態について、第一の実施形態との相違点を中心に説明する。図６は、本発明の第二の実施形態に係る建物の基礎周辺部分を模式的に示す斜視図である。図７は、本発明の第二の実施形態に係る建物の基礎周辺部分を模式的に示す断面図である。
【００４３】
図６及び図７に示すように、本発明の第二の実施形態に係る建物は、土台パッキンとして、土台パッキン２０（図１〜図３参照）に代えて複数のブロック状パッキン１１０，１１０，・・・を備えている。隣接するブロック状パッキン１１０，１１０間には、通気孔１１０ａが構成されている。アンカーボルト４０の基礎１０と土台３０との間の部分は、通気孔１１０ａに位置しているが、アンカーボルトカバー１００によって覆われている。したがって、本発明の第二の実施形態に係る建物は、アンカーボルト４０を外気の影響等（例えば、塩害）から保護することができる。なお、床下空間ＵＦＳが、特許請求の範囲における「複数のブロック状パッキンに囲まれた内側空間」に相当し、外部空間ＯＳが、特許請求の範囲における「複数のブロック状パッキンの外側空間」に相当する。
【００４４】
なお、本発明の第二の実施形態に係る建物の施工方法については、設置される土台パッキンの形状が異なるのみであるので、説明を省略する。
【００４５】
以上、本発明の実施形態について説明したが、本発明は前記実施形態に限定されず、本発明の趣旨を逸脱しない範囲で適宜設計変更が可能である。例えば、建物の基礎は布基礎に限定されず、べた基礎であってもよい。また、建物の土台は図示したものに限定されず、土台パッキン上に設けられる上部構造物であればよい。すなわち、建物の基礎上に土台パッキンを介して設けられる柱等の部材も、本願発明の土台に含まれるものとする。また、本発明は、ツーバイフォー工法の建物に限定されず、在来軸組工法の建物等、基礎と土台との間に設置されて通気孔を構成する土台パッキンを備える建物全般に適用可能である。また、水切り板は省略可能である。また、アンカーボルトカバー１００の形状は図示した円筒形状に限定されず、アンカーボルト４０を挿通可能な筒形状であればよい。本発明の参考形態として、アンカーボルトカバーは、基礎に当接する第一の端部と、土台に当接する第二の端部と、第一の端部と第二の端部との間に設けられた連結部と、を備え、第一の端部及び第二の端部の少なくとも一方が可撓性を有する可撓部である構成であってもよい。また、アンカーボルトカバーは、基礎に当接する第一の端部及び土台に当接する第二の端部の少なくとも一方が基礎又は土台に密着することが好ましい。例えば、第一の端部及び第二の端部の少なくとも一方をＥＰＤＭ等の弾性材料から形成することによって、基礎又は土台に対する当接面が、基礎又は土台の表面の凹凸に応じて変形して密着する。また、アンカーボルトカバーの基礎又は土台に対する当接面に、粘着部又はシーリングを設ける構成であってもよい。また、アンカーボルトカバーと基礎及び土台の少なくとも一方とを、弾性接着剤を用いて接着する構成であってもよい。また、参考形態として、アンカーボルトカバーは、その全体がゴム等の弾性材料から形成されている構成であってもよい。また、基礎構築工程において、アンカーボルトの設置とコンクリートの打設との順序は適宜変更可能であり、コンクリートを打設して硬化させた後にアンカーボルトを設置してもよい。
【図面の簡単な説明】
【００４６】
【図１】本発明の第一の実施形態に係る建物の基礎周辺部分を模式的に示す斜視図である。
【図２】本発明の第一の実施形態に係る建物の基礎周辺部分を模式的に示す断面図である。
【図３】本発明の第一の実施形態に係る土台パッキンを示す図であり、（ａ）は斜視図、（ｂ）は伏図、（ｃ）は正面図である。
【図４】本発明の第一の実施形態に係るアンカーボルトカバーを示す図であり、（ａ）は斜視図、（ｂ）は断面図である。
【図５】本発明の第一の実施形態に係る建物の施工方法を説明するための図であり、（ａ）は基礎構築工程を説明するための模式断面図、（ｂ）アンカーボルトカバー設置工程を説明するための模式断面図、（ｃ）は土台パッキン設置工程を説明するための模式断面図、（ｄ）は土台設置工程を説明するための模式断面図である。
【図６】本発明の第二の実施形態に係る建物の基礎周辺部分を模式的に示す斜視図である。
【図７】本発明の第二の実施形態に係る建物の基礎周辺部分を模式的に示す断面図である。
【符号の説明】
【００４７】
１０    基礎
２０    土台パッキン
２０ａ  挿通部
２１ｄ  通気部（第一の通気部、第二の通気部）
３０    土台
４０    アンカーボルト
１００  アンカーボルトカバー
１０１  下端部（第一の端部）
１０２  上端部（第二の端部）
１０３  可撓部
１１０  土台パッキン（ブロック状パッキン）
１１０ａ  通気孔
ＯＳ    外部空間
ＵＦＳ  床下空間
【図１】
0005022955.tif 000002
【図２】
0005022955.tif 000003
【図３】
0005022955.tif 000004
【図４】
0005022955.tif 000005
【図５】
0005022955.tif 000006
【図６】
0005022955.tif 000007
【図７】
0005022955.tif 000008